Podtech/llm-jp-corpus-v4-ja_patent huggingface dataset:
(57)【要約】      （修正有）【課題】アルバムジャケット及びトラックリストを同時に表示できる通信機能なしのオーディオ再生装置を提供する。【解決手段】ストレージユニットと表示ユニットと再生ユニットとを含む通信機能なしのオーディオ再生装置であって、ストレージユニットは、内蔵式或いは外付け式とすると共に、オーディオファイルを保存するために用いられ、表示ユニット２０は、ストレージユニットに電気的に接続されると共に、オーディオファイルのアルバムジャケット２１及びトラックリスト２２を同時に表示するよう配置される。再生ユニットは、ストレージユニットに電気的に接続されると共に、ストレージユニット内のオーディオファイル再生に適している。【選択図】図２
0003222346.tif 000002
【実用新案登録請求の範囲】
【請求項１】
内蔵式或いは外付け式とすると共に、少なくとも１個のオーディオファイルを保存するためのストレージユニットと、
前記ストレージユニットに電気的に接続されると共に、前記少なくとも１個のオーディオファイルのアルバムジャケット及びトラックリストを同時に表示するよう配置される表示ユニットと、
前記ストレージユニットに電気的に接続されると共に、前記ストレージユニット内の前記少なくとも１個のオーディオファイルを再生するのに適している再生ユニットと、
を含むことを特徴とする、通信機能なしのオーディオ再生装置。
【請求項２】
前記表示ユニットは、ＴＦＴ−ＬＣＤパネルであることを特徴とする、請求項１に記載の通信機能なしのオーディオ再生装置。
【請求項３】
前記表示ユニットは、縦方向によって上部領域と下部領域に区分され、前記少なくとも１個のオーディオファイルの前記アルバムジャケットが前記上部領域に表示され、前記少なくとも１個のオーディオファイルの前記トラックリストが前記下部領域に表示されることを特徴とする、請求項１に記載の通信機能なしのオーディオ再生装置。
【考案の詳細な説明】
【技術分野】
【０００１】
本考案は、オーディオ再生装置に関し、特に、アルバムジャケット及びトラックリストを同時に表示できる通信機能なしのオーディオ再生装置に関する。
【背景技術】
【０００２】
従来の通信機能なしのオーディオ再生装置、例えばオーディオプレーヤー等は、比較的小さいスクリーンの制限により、通常表示インターフェースのみにおいてアルバムジャケット或いはトラックリストを単独で表示する。これは音楽体験に専念する純音楽のユーザーにとって、操作或いはアルバム情報の取得において（例えば、ジャケットとトラックリストとの少なくとも一方が、内容的に詳細なものであるとき）不便さがある。
【考案の概要】
【考案が解決しようとする課題】
【０００３】
本考案は、かかる従来の問題点に鑑みてなされたもので、通信機能なしのオーディオ再生装置を提供することを目的とする。
【課題を解決するための手段】
【０００４】
本考案に係る通信機能なしのオーディオ再生装置は、ストレージユニットと表示ユニットと再生ユニットとを含む。ストレージユニットは、内蔵式或いは外付け式とすると共に、少なくとも１個のオーディオファイルを保存するために用いられる。表示ユニットは、ストレージユニットに電気的に接続されると共に、オーディオファイルのアルバムジャケット及びトラックリストを同時に表示するよう配置される。再生ユニットは、ストレージユニットに電気的に接続されると共に、ストレージユニット内のオーディオファイル再生に適している。
【０００５】
本考案の一実施形態において、表示ユニットは、ＴＦＴ−ＬＣＤパネルである。
【０００６】
本考案の一実施形態において、表示ユニットは、縦方向によって上部領域と下部領域に区分され、オーディオファイルのアルバムジャケットが上部領域に表示され、オーディオファイルのトラックリストが下部領域に表示される。
【考案の効果】
【０００７】
上記によれば、本考案の上記実施形態で提供する通信機能なしのオーディオ再生装置は、オーディオファイルのアルバムジャケットが表示ユニットの上部領域に表示され、かつオーディオファイルのトラックリストが表示ユニットの下部領域に表示されることで、音楽体験に専念する純音楽のユーザーに簡単にアルバムジャケット及びトラックリストの情報を同時に取得させることができる。
【０００８】
本考案の上記特徴及び利点をより一層明確にかつ分かり易く、以下に実施形態を挙げて、添付図面を基に詳細に説明する。
【図面の簡単な説明】
【０００９】
【図１】本考案の一実施形態に係る通信機能なしのオーディオ再生装置のブロック図である。
【図２】図１に示す通信機能なしのオーディオ再生装置の表示ユニットを示す図である。
【考案を実施するための形態】
【００１０】
図１は、本考案の一実施形態に係る通信機能なしのオーディオ再生装置のブロック図である。図２は、図１に示す通信機能なしのオーディオ再生装置の表示ユニットを示す図である。図１及び図２を参照すると、本考案に係る通信機能なしのオーディオ再生装置は、ストレージユニット１０、表示ユニット２０及び再生ユニット３０を含む。ストレージユニット１０は、保存容量を提供するため、内蔵式或いは外付け式とし、例えば内蔵フラッシュメモリ或いは外付けのメモリカード等であり、また少なくとも１個のオーディオファイルを保存するために用いられる。オーディオファイルは、アルバムジャケットを組み込むと共にトラックリストを生成できる。表示ユニット２０は、ストレージユニット１０に電気的に接続されると共にオーディオファイルのアルバムジャケット及びトラックリストを同時に表示するよう配置される。表示ユニット２０は、ＴＦＴ−ＬＣＤパネルとすることができ、かつ表示ユニット２０が縦方向によって上部領域２１と下部領域２２に区分され、オーディオファイルのアルバムジャケットが上部領域２１に表示され、オーディオファイルのトラックリストが下部領域２２に表示される。再生ユニット３０は、ストレージユニット１０に電気的に接続されると共にストレージユニット１０内のオーディオファイル再生に適している。なお、アルバムジャケットは、アルバムの表側、裏側のいずれのジャケットであってもよい。ここで、通信機能なしで構成されたオーディオ再生装置の例としては、スタンドアローンのオーディオ再生装置であってもよい。
【００１１】
上記をまとめると、前記実施形態の通信機能なしのオーディオ再生装置は、オーディオファイルのアルバムジャケットが表示ユニット２０の上部領域２１に表示され、かつオーディオファイルのトラックリストが表示ユニット２０の下部領域２２に表示されることで、音楽体験に専念する純音楽のユーザーに簡単にアルバムジャケット及びトラックリストの情報を同時に取得させることができて、操作も便利になる。
【００１２】
本考案では好ましい実施形態を前述の通り開示したが、これらは決して本考案に限定するものではなく、当該技術を熟知する者なら誰でも、本考案の精神と領域を脱しない範囲内で各種の変形や改変を加えることができる。従って本考案の保護範囲は、添付される実用新案登録請求の範囲に記載した内容を基準とする。
【符号の説明】
【００１３】
１０  ストレージユニット
２０  表示ユニット
２１  上部領域
２２  下部領域
３０  再生ユニット
【図１】
0003222346.tif 000003
【図２】
0003222346.tif 000004
(57)【要約】      （修正有）【課題】耳にピアスホールが開けられていない場合でもピアスを使用することのできる眼鏡用ピアス吊下具を提供する。【解決手段】眼鏡用ピアス吊下具１は、眼鏡１０のテンプル１１にピアス１５を吊り下げるための眼鏡用ピアス吊下具１において、テンプルが挿入されるテンプル挿入穴を有する眼鏡連結部２と、眼鏡連結部から下方に延在する脚部５であって、その下端部にピアスを通すためのピアスホールが形成されている脚部と、を備える。【選択図】図３
0003222303.tif 000002
【実用新案登録請求の範囲】
【請求項１】
眼鏡のテンプルにピアスを吊り下げるための眼鏡用ピアス吊下具において、
前記テンプルが挿入されるテンプル挿入穴を有する眼鏡連結部と、
前記眼鏡連結部から下方に延在する脚部であって、その下端部に前記ピアスを通すためのピアスホールが形成されている脚部と、
を備えることを特徴とする眼鏡用ピアス吊下具。
【請求項２】
前記眼鏡連結部及び前記脚部は樹脂成形により一体に形成されていることを特徴とする請求項１記載の眼鏡用ピアス吊下具。
【考案の詳細な説明】
【技術分野】
【０００１】
本考案は、眼鏡のテンプルの部分にピアスを吊り下げるための吊下具に関する。
【背景技術】
【０００２】
従来から、耳に開けた穴（ピアスホール）に通して付ける装身具であるピアスが多数提供されており、例えば、下記特許文献１に開示されている。
【０００３】
また、近年、耳に装着するタイプの小型ワイヤレスイヤホンが普及しており、ワイヤレスイヤホンが耳から落下して紛失してしまうのを防止するために、ワイヤレスイヤホンと接続するためのチェーンを有するワイヤレスイヤホン落下防止用のピアスも提供されている。
【先行技術文献】
【特許文献】
【０００４】
【特許文献１】実用新案登録第３１８３９４１号公報
【考案の概要】
【考案が解決しようとする課題】
【０００５】
しかし、ピアスは、耳にピアス用の穴（ピアスホール）が開けられていなければ使うことができず、また、ワイヤレスイヤホン落下防止用のピアスをピアスホールに装着している際に、ワイヤレスイヤホンが落下すると、ピアスホールの部分が引っ張られて痛みを感じてしまうケースもある。
【０００６】
本考案は、上記課題を解決するためになされたものであり、耳にピアスホールが開けられていない場合でもピアスを使用することのできる眼鏡用ピアス吊下具を提供することを目的とする。
【課題を解決するための手段】
【０００７】
上記課題を解決するために、本考案に係る眼鏡用ピアス吊下具は、眼鏡のテンプルにピアスを吊り下げるための眼鏡用ピアス吊下具において、前記テンプルが挿入されるテンプル挿入穴を有する眼鏡連結部と、前記眼鏡連結部から下方に延在する脚部であって、その下端部に前記ピアスを通すためのピアスホールが形成されている脚部と、を備えることを特徴とする。
【考案の効果】
【０００８】
本考案に係る眼鏡用ピアス吊下具によれば、耳にピアスホールが開けられていない場合でもピアスを使用することができる。
【図面の簡単な説明】
【０００９】
【図１】図１は、本考案の実施形態に係る眼鏡用ピアス吊下具の正面図である。
【図２】図２は、本考案の実施形態に係る眼鏡用ピアス吊下具の側面図である。
【図３】図３は、本考案の実施形態に係る眼鏡用ピアス吊下具の使用態様を示す斜視図である。
【図４】図４は、本考案の実施形態に係る眼鏡用ピアス吊下具の使用態様を示す斜視図である。
【考案を実施するための形態】
【００１０】
以下、図面を参照しながら、本考案の実施形態について詳細に説明する。眼鏡用ピアス吊下具１は、眼鏡１０のテンプル１１の部分に連結される眼鏡連結部２と、眼鏡連結部２から下方に延在する脚部５とを備えている。
【００１１】
眼鏡連結部２は、その内部を貫通するテンプル挿入穴３が形成されている。テンプル挿入穴３は、眼鏡１０のテンプル１１が貫通する穴であり、図１において、左右方向に延在する。
【００１２】
脚部５は、細長い棒状部材であり、眼鏡用ピアス吊下具１を眼鏡１０に装着した際に、眼鏡連結部２から下方に延在する。脚部５の下端部には、ピアス１５を通すための貫通小穴であるピアスホール６が形成されている。
【００１３】
ピアスホール６の貫通方向は、図１において左右方向であり、テンプル挿入穴３と略平行である。眼鏡用ピアス吊下具１を装着した眼鏡１０を顔の部分にかけると、テンプル挿入穴３は顔の前後方向に延在し、ピアスホール６も顔の前後方向に延在する。
【００１４】
眼鏡用ピアス吊下具１は、眼鏡連結部２と脚部５とを樹脂成形により一体に形成することで製造される。樹脂としては、例えば、シリコンが使用される。
【００１５】
以上、眼鏡用ピアス吊下具１の構成について説明したが、続いて、眼鏡用ピアス吊下具１の使用態様について説明する。図３に示すように、眼鏡用ピアス吊下具１は、眼鏡１０のテンプル１１をテンプル挿入穴３に貫通させることで、テンプル１１の部分に装着される。
【００１６】
このとき、テンプル１１に連結された眼鏡連結部２から脚部５が下方に垂れる姿勢となるように装着する。また、眼鏡連結部２のテンプル１１との連結位置は、図４に示すように、眼鏡１０を顔にかけた際に、耳の直ぐ後ろに眼鏡用ピアス吊下具１が位置するように調整する。
【００１７】
眼鏡１０を顔にかけると共に、脚部５のピアスホール６にピアス１５を留めると、図４に示すように、耳たぶの直ぐ後ろからピアスが垂れ下がることになる。
【００１８】
このように、眼鏡用ピアス吊下具１によれば、耳にピアスホールを空けることなく、あたかも耳のピアスホールに吊り下げているかのように、ピアス１５を使用することができる。もちろん、眼鏡用ピアス吊下具１により、ワイヤレスイヤホン落下防止用のピアスを装着することもできる。
【００１９】
以上、本考案の実施形態について詳細に説明したが、本考案は上記実施形態に限定されるものではなく、本考案の主旨を逸脱しない範囲内で種々の変形が可能である。例えば、眼鏡用ピアス吊下具を構成する部材の形状やサイズ、素材等は適宜変更可能である。
【符号の説明】
【００２０】
１    眼鏡用ピアス吊下具
２    眼鏡連結部
３    テンプル挿入穴
５    脚部
６    ピアスホール
１０  眼鏡
１１  テンプル
１５  ピアス
【図１】
0003222303.tif 000003
【図２】
0003222303.tif 000004
【図３】
0003222303.tif 000005
【図４】
0003222303.tif 000006
(57)【要約】      （修正有）【課題】効率的に正確にボールを蹴る技術を習得できるサッカーリフティング練習用ボールを提供する。【解決手段】サッカーリフティング練習用ボール１は、質量が５ｇ以上３０ｇ以下で直径が１９〜２３ｃｍ球形状であり、サッカーボールと同レベルの練習効果を得つつ、空気抵抗を利用することで落下スピードを下げ、他のスポーツと同様に、技術をゆっくりした速度で習得できる。【選択図】図１
0003222351.tif 000002
【実用新案登録請求の範囲】
【請求項１】
サッカーリフティング練習用ボールであって、
質量が５ｇ以上３０ｇ以下であり、直径が１９〜２３ｃｍであり、略球形状を有することを特徴とするサッカーリフティング練習用ボール。
【考案の詳細な説明】
【技術分野】
【０００１】
本考案は、サッカーのリフティング練習用ボールに関する。
【背景技術】
【０００２】
サッカーリフティング練習は、ボールを蹴り上げて、落下地点に体を移動させ、（ボールが着地前に）更に蹴り上げて、また落下地点に移動し、（ボールが着地前に）蹴り上げることを繰返す練習である。サッカーリフティング練習を行うことにより、サッカー、フットサル、ビーチサッカー等のボールを蹴るスポーツで必要な正確にボールを蹴る技術を習得する事ができる。サッカーリフティング練習に用いるボールは、サッカー等に用いられるボールと同じものである。
【考案の概要】
【考案が解決しようとする課題】
【０００３】
他のスポーツの初心者は、まず技術をゆっくりした速度で練習し、できる様にしてから、だんだん速い速度でできる様にすることで、初心者でも効率的に体に覚え込ますことができる。しかし、サッカーリフティング練習は、その速度が重力に依存したボール落下速度で決まってしまい、しかも落下速度が速いことで、技術をゆっくりした速度で練習し、できる様にしてから、だんだん速い速度でできる様にしていくことができない。
それだけでなく、サッカーリフティング練習の初心者は、正確にボールを蹴れないことで、落下地点が遠くなってしまうことが多く、そこまで追っかけて蹴ることで体力を消耗する。また、追っかけて蹴ることで、余裕のない乱れた姿勢となり更に遠くに蹴ってしまい、ボールを拾いに行くことに多くの時間を浪費する。
そのように、サッカーリフティング練習の初心者は、効率的に技術（正確にボールを蹴る技術）を習得できず、上達に長期間を要する。
【０００４】
また、サッカーリフティング練習は、室内で行うと、家具、壁、窓ガラス、等の器物を破損させてしまうため、室内で練習できない。
【課題を解決するための手段】
【０００５】
本考案に係るサッカーリフティング練習用ボールは、質量が５ｇ以上３０ｇ以下であり、直径が１９〜２３ｃｍであり、略球形状を有することを特徴とする。
【考案の効果】
【０００６】
本考案によれば、効率的に正確にボールを蹴る技術を習得できるサッカーリフティング練習用ボールを提供できる。
【図面の簡単な説明】
【０００７】
【図１】本考案の実施形態のサッカーリフティング練習用ボールの落下スピード測定方法を示す図である。
【図２】図１に示すボール落下スピード測定方法の測定結果を示す表である。
【図３】図１に示すボール落下スピード測定方法の測定結果を示す詳細グラフである。
【考案を実施するための形態】
【０００８】
本考案の考案者によれば、サッカーリフティング練習を自宅室内で行うため、器物を破損させない様に、軽量ボール１００g（通常サッカーボール４００ｇ）を使用して行ったところ、サッカーボールと同レベルの練習効果があることが分かった。更に軽量化し、空気抵抗を利用することで落下スピードを下げ、他のスポーツと同様に、技術をゆっくりした速度でできる様にしてから、だんだん速い速度でできる様にし、初心者が効率的に技術を習得することを思いついた。
まず、風船（３g）で確認したところ、空気抵抗で軌道が変化し易く、サッカーリフティング練習に適さなかった。次に多少重量アップし、  質量５ｇ以上３０ｇ以下の軽量ボールを製作し実験したところ、空気抵抗による軌道変化も押えられ、また、落下スピードも最大約５０％遅く（高さ１ｍから落下させた場合の時間比較）でき、初心者のサッカーリフティング練習に適したものとなった。
【０００９】
従来は、初心者用サッカーリフティング練習ボールは存在しなかった。サッカーリフティング練習ボールとしては、上級者向けのサッカーリフティング練習ボールが知られているが、これはサッカーボールをより小さくした練習の難易度を更に上げるものである。
又、室内で器物を破損させずに練習できるサッカーリフティング練習ボールもなかった。
【００１０】
上記でも述べたように、サッカーリフティング練習において、サッカーボールと略同じ形状及び大きさを有し、その質量を３０ｇ以下の軽量ボールにすることで、サッカーリフティング練習の上達に効果を奏することが分かった。一方、ボールの質量が、風船（３ｇ）の様に軽すぎると空気抵抗の影響が大きく、それにより軌道変化が大きくなり、サッカーリフティング練習に適さないことも明らかになった。サッカーリフティング練習用のボールとして、最低5ｇ以上の質量が必要であることも分かった。
【００１１】
本実施形態のサッカーリフティング練習ボールは、例えば、以下のように構成されている。
直径：１９〜２３ｃｍ（ボール）
質量：５ｇ以上３０ｇ以下
材質：ゴム（NR、IR、IIR、BR、SBR  等  比重：０．９〜１．０  （ｇ／ｃｍ２））
又は、
合成樹脂（PVC、PA等  比重：１．０〜１．５  （ｇ／ｃｍ２））
厚さ：０．１〜０．３mm
【００１２】
本実施形態によれば、以下の作用効果を奏する。
通常サッカーボールの高さ１mからの落下時間０．４秒に対し、考案したサッカーリフティング練習ボールの落下速度は、０．５〜０．８秒と最大２倍に遅くできる。
それにより初心者は、技術をゆっくりした速度でできる様にしてから、だんだん速い速度でできる様にして、上達状況に応じた落下スピードで練習でき、効率的に正確にボールを蹴る技術を習得できる。
付随効果として、質量が減ることで、室内でも器物を破損させず練習できる。
又、上級者でなければ練習できなかった難しいリフティングの技も初心者から早い段階で練習可能となる。
【符号の説明】
【００１３】
１  サッカーリフティング練習ボール
【図１】
0003222351.tif 000003
【図２】
0003222351.tif 000004
【図３】
0003222351.tif 000005
(57)【要約】      （修正有）【課題】光るクラッチ型ウエディングブーケを提供する。【解決手段】花や葉の茎を束ねたウエディングブーケであって、花１や葉２の間に球状のＬＥＤ電球３を混在させると共に茎の部分４にＬＥＤの電源部分を隠れるように配置した。【選択図】図１
0003222340.tif 000002
【実用新案登録請求の範囲】
【請求項１】
花や葉の茎を束ねたクラッチ型ウエディングブーケであって、花や葉の間にＬＥＤ電球を混在させると共に前記茎の部分にＬＥＤの電池部分を隠れるように配置したことを特徴とするウエディングブーケ。
【請求項２】
前記ＬＥＤ電球が球状である請求項１に記載のウエディングブーケ。
【請求項３】
前記ＬＥＤ電球と共に反射性の装飾部材を配した請求項１または２に記載のウエディングブーケ。
【考案の詳細な説明】
【技術分野】
【０００１】
この考案は、ウエディングブーケ全体がＬＥＤライトによって美麗に光るウエディングブーケに関する。
【背景技術】
【０００２】
従来、ウエディングブーケをより装飾的な価値を持たすべく種々の工夫が行われている。例えば特許文献１では花や葉を密に配置することなく相互の距離を持った位置関係を保って自由に動ける形態を創り出し、花や葉が自然な動きをすると共に全体のボリューム感を実現できるブーケを開示している。また、特許文献２では複数本のブーケ担体を束ねて構成され、これら複数本のブーケ担体のうち少なくとも１本が装飾石を有するブーケ担体であるウエディングブーケであって、前記装飾石を有するブーケ担体がワイヤーに支持させる台座部分と、該台座部分の上の固定される前記装飾石で構成されたウエディングブーケが開示されている。
他方、照明装置を用いてウエディングブーケの装飾性を高めることが行われている。例えば特許文献３には花または葉を模した造形物の少なくともいずれか一方を有する花装飾部材と、該花装飾部材と一体的に配された発光装飾部材と、該発光装飾部材に発光エネルギーを供給するエネルギー供給手段と、複数の前記花装飾部材を固定する固定部、及び、該固定部に接続されている使用者の把手部分となる把手部材、が備えられているブーケホルダーと、前記ブーケホルダーに取り付けられ、前記発光装飾部材への前記発光エネルギーの供給を制御する制御手段とを有することを特徴とするブーケが開示されている。このブーケは使用者本人が自由に発光演出をコントロールできるという極めて精巧なブーケではあるが、その為に使用者が持つ把持部材に発光部材に供給する発光エネルギー供給部材を設ける等やや複雑なきらいがあった。
【先行技術文献】
【特許文献】
【０００３】
【特許文献１】実用新案登録第３２１７５５２号
【特許文献２】特開２０１２−１０６５７号
【特許文献３】実用新案登録第３１３２８５７号
【考案の概要】
【考案が解決しようとする課題】
【０００４】
本考案者は通常使用されているウエディングブーケに似た簡単な構造でより装飾価値を高めたウエディングブーケについて種々検討した結果、本考案を完成したもので、本考案の目的は簡単な構造の光るウエディングブーケを提供することである。
【課題を解決するための手段】
【０００５】
本考案の要旨は、花や葉の茎を束ねたクラッチ型ウエディングブーケであって、前記花や葉の間にＬＥＤ電球を混在させると共に前記花や葉の茎の部分にＬＥＤの電源部分を隠れるように配置したことを特徴とするクラッチ型ウエディングブーケである。そして、前記ＬＥＤ電球は球状であることが好ましく、また、前記ＬＥＤ電球と共に反射性の装飾部材を配することが好ましい。
【考案の効果】
【０００６】
以上述べた構成を採ることによって本考案に係る花や葉の茎を束ねたウエディングブーケは通常のウエディングブーケの花の一部を花に模した球状のＬＥＤ電球を置き換えて束ねるという極めて簡単な構造によってその装飾的価値は高められた光るウエディングブーケを提供することが出来るという効果を奏する。
【図面の簡単な説明】
【０００７】
【図１】本考案に係るクラッチ型ウエディングブーケのスタンドに置いた時の全体図。
【図２】該ウエディングブーケの正面図。
【図３】該ウエディングブーケのＬＥＤ電球及び電源部のみを示した説明図。
【考案を実施するための形態】
【０００８】
以下、本考案について更に詳細に説明する。
本考案において使用する花や葉は生花もしくは造花の何れでもよいが、取り扱い上造花を用いることが好ましく、その作り方としては通常のウエディングブーケと同様に花や葉の茎部分を束ねる。その際本考案のウエディングブーケにおいては花の一部をＬＥＤ電球に置き換える。ＬＥＤ電球としては球状のものが好ましく、その大きさとしては通常のウエディングブーケに使用されているバラの花の大きさと同程度のものが好ましい。
電源部分はスイッチを有し、通常のＬＥＤ電球に使用されている１．５ボルト程度の単３電池を２個使用する。この電源部分は外部より見えないように花や葉の茎の間に配置する。また、電源部分のスイッチはウエディングブーケを把持している花嫁自身が操作出来るようにし、本考案に係るウエディングブーケにはＬＥＤ電球と共に反射性の装飾部材を配することによって更に装飾効果が高まる。
反射板はプラスチック製で大きさは２〜３ｃｍ程度で大体６つ程度混在させればよい。これはＬＥＤ光や結婚式の会場で浴びるスポットライトに反射する。
【実施例】
【０００９】
次に実施例として本考案に係る光るウエディングブーケを、図をもって具体的に説明する。図１は本考案に係る光るクラッチ型ウエディングブーケの全体図である。図１において花の部分１と葉の部分２との間にＬＥＤ電球３を配置する。これらの花及び葉の茎４はリボン５で束ねる。図１において６は反射性の装飾板であり、７はウエディングブーケ用スタンドである。図３は該ウエディングブーケのＬＥＤ電球及び電源部のみを示した説明図である。
使用に際しては電源部８のスイッチをオンとし、使用者が茎の部分４を把持すればよい。
【符号の説明】
【００１０】
１  花の部分      ２  葉の部分      ３  ＬＥＤ電球      ４  茎の部分
５  リボン      ６  反射性装飾板      ７  ウエディングブーケ用スタンド
８  電源部分
【図１】
0003222340.tif 000003
【図２】
0003222340.tif 000004
【図３】
0003222340.tif 000005
(57)【要約】      （修正有）【課題】簡素な構成で製造安価であり、しかも、簡易に使用できながらも立体感を与えられる封蝋を提供する。【解決手段】貼り付けて使用するシール状の封蝋であって、剥離紙２０が付設された粘着作用を有する粘着層１２と、粘着層に積層され封蝋の骨格をなす基層とを備え、貼り付けられた際に表面となる表層１１が基層に形成され、表層には、所定の文様を表す意匠１３が加工され、意匠が、高低差のある立体的構造物である。所定の文様を表す意匠には、水引を模した形状の立体的構造物等が使用できる。【選択図】図１
0003222335.tif 000002
【実用新案登録請求の範囲】
【請求項１】
貼り付けて使用するシール状の封蝋であって、
粘着作用を有する粘着層と、その粘着層に積層され封蝋の骨格をなす基層とを備え、貼り付けられた際に表面となる表層が基層に形成され、
表層には、所定の文様を表す意匠が加工され、その意匠が、高低差のある立体的構造物である
ことを特徴とする封蝋。
【請求項２】
所定の文様を表す意匠が、水引を模した形状である
請求項１に記載の封蝋。
【考案の詳細な説明】
【技術分野】
【０００１】
本考案は、シールとして貼り付けて簡易に使用できる封蝋に関する。
【背景技術】
【０００２】
封書や箱や瓶などを封印する手段として、古くから封蝋が知られている。その封蝋は、溶融ワックスを用い、刻印して固める形態であった。これによると、高級感は与えられるが、手間と経費を要する。
それを簡略化した従来品には、溶融ワックスを用いないで、予め形状の定まったシリコンやワックス等の固形物と粘着剤とを用いたものがある。
また、シリコンやワックス等の立体物を用いないで、単なるシールで代用する従来品もあるが、平坦なため高級感は与えられない。
【０００３】
封蝋に関連する従来技術には、特許文献１〜３などもあるが、簡易に使用できながらも高級感を与えられ、しかも製造安価な封蝋はなかった。
【０００４】
特許文献４は、本出願人の先行出願であるが、シート状の封蝋であり、立体感は強くなかった。
【先行技術文献】
【特許文献】
【０００５】
【特許文献１】特開２００９−９６１６０「飾り用埋め込み穴付き封蝋印」
【特許文献２】特開２００６−１３９２３５「開封防止シール」
【特許文献３】実開平５−７９５８０「封印用シール」
【特許文献４】実願２００９−３９７５「封蝋」
【考案の概要】
【考案が解決しようとする課題】
【０００６】
そこで、本考案は、簡素な構成で製造安価であり、しかも、簡易に使用できながらも立体感を与えられる封蝋を提供することを課題とする。
【課題を解決するための手段】
【０００７】
上記課題を解決するために、本考案の封蝋は、次の構成を備える。すなわち、貼り付けて使用するシール状の封蝋であって、  粘着作用を有する粘着層と、その粘着層に積層され封蝋の骨格をなす基層とを備え、貼り付けられた際に表面となる表層が基層に形成され、表層には、所定の文様を表す意匠が加工され、その意匠が、高低差のある立体的構造物であることを特徴とする。
【０００８】
所定の文様を表す意匠としては、水引を模した形状が有用である。
【考案の効果】
【０００９】
本考案の封蝋によると、簡易に使用できながらも立体感を得られるので使用者を満足させられ、また、簡素な構成で製造安価であるので製造販売者にも寄与する。
【図面の簡単な説明】
【００１０】
【図１】（ア）封蝋の正面図  （イ）同、側面断面図
【図２】別実施例の封蝋の側面断面図
【図３】同、別実施例の側面断面図
【図４】同、別実施例の側面断面図
【考案を実施するための形態】
【００１１】
以下に、本考案の実施形態を説明する。なお、本考案の趣旨から逸脱しない範囲で、適宜設計変更可能であり、前記特許文献や従来公知の技術を援用可能である。
【００１２】
図１（ア）（イ）は、本考案による封蝋の正面図及び側面断面図である。
本実施例の封蝋は、骨格をなす基層（１０）と、貼り付けられた際に表面となる表層（１１）と、貼り付く作用を有する粘着層（１２）との３層構造であり、粘着層（１２）に剥離紙（２０）が付設されている。なお、粘着層（１２）には、非移行性の粘着剤が適宜利用できる。
【００１３】
基層（１０）は紙や樹脂や、アルミニウム等の金属で構成され、その基層（１０）の上面に表層（１１）として塗料が塗布されて一体化されている。なお、塗布には、広義の印刷など、塗料を添加すること一般を含む。
【００１４】
表層（１１）には、所定の文様を表す意匠が加工され、その意匠は、高低差のある立体的構造物である。図示の例では、所定の文様を表す意匠（１３）として、水引を模した形状が示されている。意匠（１３）の文様には、メッセージや名称やロゴや模様などを任意に適用できる。
【００１５】
図２は、別実施例の封蝋の側面断面図である。
上記実施例とは、意匠（１３）の位置に差異がある。すなわち、基層（１０）と表層（１１）の双方に、意匠（１３）が設けられている。
基層（１０）に凹凸加工可能な素材を用いれば、表層（１１）の用いる塗料を薄く塗布可能となる。
【００１６】
図３も、別実施例の封蝋の側面断面図である。
図１に示した実施例とは、基層（１０）と表層（１１）との間に粘着層（１４）が備わる点に最も差異がある。
基層（１０）と粘着層（１２）（１４）との３層が予め一体化された両面粘着テープを用いてもよい。
【００１７】
表層（１１）には、金属や樹脂や紙が利用できる。予め所定の文様を刻印されたシートを用いてもよい。
表層（１１）は、粘着層（１４）に貼着させるので、厚みが大きく一層立体感を与えられる構成を容易に形成できる。
【００１８】
表層（１１）には、金属や樹脂や紙が利用できる。予め所定の文様を刻印されたシートを用い
【００１９】
図４も、別実施例の封蝋の側面断面図である。
図１に示した実施例とは、粘着層（１２）にマイクロカプセル（１５）が埋設されている点に最も差異がある。
封蝋を曲げて封筒（３０）から剥がす時の負荷で、マイクロカプセル（１５）を破裂可能である。
マイクロカプセル（１５）には香料を充填しておいて、封蝋の剥離時に香るようにしてもよい。また、破裂音を発声可能なマイクロカプセル（１５）を用いて、封蝋の剥離時に音で楽しめるようにしてもよい。
【産業上の利用可能性】
【００２０】
以上のように、本考案によると、安価に製造でき、使用者にとっては簡易に使えながらも立体感を得られるので、封蝋の普及につながり、産業上非常に有用である。
【符号の説明】
【００２１】
１０  基層
１１  表層
１２、１４  粘着層
１３  意匠
１５  マイクロカプセル
２０  剥離紙
３０  封筒
【図１】
0003222335.tif 000003
【図２】
0003222335.tif 000004
【図３】
0003222335.tif 000005
【図４】
0003222335.tif 000006
(57)【要約】      （修正有）【課題】ＴＶ台の中のＡＶ機器とその上に置くＴＶとを接続するアンテナ線、電源コード、ケーブルなどを前面から一切見えなくして、ＴＶ周りをすっきりと整理できる接続ケーブル用ダクト付枠を提供する。【解決手段】テレビ台２０の背面に取り付けるテレビ台とほぼ同じ大きさを有する数センチ巾の枠であって、上面１１に丸穴を開け、その穴に２０〜４０ｃｍ程度のダクト１４を通して電源コードやアンテナ線、その他のケーブルをすべてまとめて中に通す。テレビ台を部屋のコーナーや壁から離して置く場合には枠の裏面にパネル１０を取り付ける。余分なケーブル・コード類は本枠の中に納められ，壁にぴったりとくっつけることができるため、どの方向から見ても一切の配線が見えなくなる。【選択図】図１
0003222398.tif 000002
【実用新案登録請求の範囲】
【請求項１】
テレビ台の背面に取り付ける数センチ巾の枠であって，この上面に丸穴を開け，さらにその穴に２０〜４０ｃｍ程度のダクトを通して電源コードやアンテナ線，その他のケーブルを中に通せるようにした接続ケーブル用ダクト付枠。ただし，このダクトはテレビ台そのものにあらかじめ取り付けることも可能である。
【請求項２】
テレビ台と壁との間に設置し，電源コードやアンテナケーブルなどが乱雑に入り込んでいる部分をこの枠で覆い，且つテレビ台を壁に密着することができる接続ケーブル用ダクト付枠。
【請求項３】
テレビ台を部屋のコーナーや壁から離して置く場合には本枠の裏面にパネルを取り付けることにより，中のケーブル類が後からも見えなくすることが出来る接続ケーブル用ダクト付枠。
【請求項４】
大きさはテレビ台の寸法と同じ巾とするが，高さは床より２〜５ｃｍほどあけて，床を這わせたアンテナケーブル等が本枠の下の穴より取り込めるようにした接続ケーブル用ダクト付枠。
【請求項５】
上面のダクトは中心より片方に寄せてあり，テレビの入力端子の位置に合わせて，本枠ごと左右に裏返すことにより対応できる接続ケーブル用ダクト付枠。
【考案の詳細な説明】
【技術分野】
【０００１】本考案はＴＶ台の中のＡＶ機器とその上に置くＴＶとを接続するアンテナ線，電源コード，ＨＤＭＩケーブルなどを前面から一切見えなくして，ＴＶ周りをすっきりと整理できる接続ケーブル用ダクト付枠である。
【背景技術】
【０００２】従来のテレビ台ではその上に設置するＴＶ本体にアンテナ線，電源コードＨＤＭＩケーブルなど様々な線材がつながっていて美観を損なっているが，これを解決するのは壁掛け式ＴＶとして壁の中にコードを通す等しかなかった。
【先行技術文献】
【特許文献】
【０００３】
【特許文献１】特許６２２４２８７に置いてはテレビ台の天板奥に切り欠きをつけてケーブル類を通しているが，何本ものケーブルが錯綜し美観を損なう恐れがある。
【特許文献２】実登３２００７７２に置いてはテレビ台内部のＡＶ機器類のケーブル類はテレビ台奥に収納され，正面から見えないので外観を損ねないがこのテレビ台の上に置くテレビとの接続ケーブルには効果が及ばない。
【考案の概要】
【考案が解決しようとする課題】従来のテレビ台ではその上に設置するＴＶ本体にアンテナ線，電源コードＨＤＭＩケーブルなど様々な電線材がつながっている。これらの全てはＴＶのテレビ台の背面に押し込まれる形となり美観を損なっている。
【課題を解決するための手段】本考案はＴＶ台と壁面との間に６〜８ｃｍ巾の四角い枠を置き，天板に穴を開けて４〜５０ｃｍのダクトを通す。ＴＶ台の背面からのケーブルや電源コードなどをこのダクトを通してＴＶ本体の後に接続することにより，前面からはコード類がまったく見えず美観を保つことができる。また，ＴＶやＡＶ機器の電源は壁面とＴＶ台との間にテーブルタップなどを置いて供給する場合が多いが，本カバー枠をつけることによってＴＶ台と壁面との隙間がぴったりとふさがり，見苦しいコード類の束を隠すことができる。
【考案の効果】
【０００４】最新モデルのテレビでは壁掛け式に対応したものが増えてきているが，この場合はテレビの重量を支えることの出来る壁と壁の中にケーブル類を通すためのダクトを埋め込む必要があり，一度据えつければ移動はほぼ不可能である。一方，本接続ケーブルカバー枠つきのテレビ台では工事も不要であり，手軽に美観を保つことが出来る。
【図面の簡単な説明】
【図１】本体を斜め後ろから見た概略図である。
【図２】本体を後ろから見た概略図である。
【図３】本体を真横から見た概略図である。
【図４】本体を真上から見た概略図である。
【考案を実施するための形態】
【・・・・】
【実施例】
【・・・・】
【産業上の利用可能性】
【・・・・】
【符号の説明】１０  本体ケーブルカバー
１１  本体上面
１２  本体側面
１３  本体側面ケーブル穴（化粧カバー付）
１４  接続ケーブル，アンテナ用通しダクト
１５  本体底面電源ケーブル穴
２０  テレビ台等
【図１】
0003222398.tif 000003
【図２】
0003222398.tif 000004
【図３】
0003222398.tif 000005
【図４】
0003222398.tif 000006
【手続補正書】
【提出日】令和1年5月15日(2019.5.15)
【手続補正１】
【補正対象書類名】実用新案登録請求の範囲
【補正対象項目名】全文
【補正方法】変更
【補正の内容】
【実用新案登録請求の範囲】
【請求項１】
テレビ台の背面に取り付ける数センチ巾の枠であって，この上面に丸穴を開け，さらにその穴に２０〜４０ｃｍ程度のダクトを通して電源コードやアンテナ線，その他のケーブルを中に通せるようにした接続ケーブル用ダクト付枠。
【請求項２】
テレビ台と壁との間に設置し，電源コードやアンテナケーブルなどが乱雑に入り込んでいる部分を請求項１記載の枠で覆い，且つテレビ台を壁に密着できることを特徴とする請求項１記載の接続ケーブル用ダクト付枠。
【請求項３】
テレビ台を部屋のコーナーや壁から離して置く場合には請求項１記載の枠の裏面にパネルを取り付けることにより，中のケーブル類が後からも見えなくすることができることを特徴とする請求項１記載の接続ケーブル用ダクト付枠。
【請求項４】
テレビ台の寸法と同じ巾であって，高さは床より２〜５ｃｍほどあけて，床を這わせたアンテナケーブル等が請求項１記載の枠の下の穴より取り込むことができることを特徴とする請求項１記載の接続ケーブル用ダクト付枠。
【請求項５】
請求項１記載の枠の上面のダクトを中心より片方に寄せて，テレビの入力端子の位置に合わせて，請求項１記載の枠ごと左右に裏返すことにより左右のいずれからもケーブルをダクトに導けることを特徴とする請求項１記載の接続ケーブル用ダクト付枠。
(57)【要約】      （修正有）【課題】片手でほうきを持ち掃除をするときに、長時間の作業でも手首が疲労で痛くならないほうきを提供する。【解決手段】ほうき１の柄の上方部２に手首から肘の間に差し込み入れる治具３を設けて、手首だけを動かすのではなく手首から肘の力をほうきに加えるようにした。長時間の作業でも手首が痛くならない。【選択図】図３
0003222393.tif 000002
【実用新案登録請求の範囲】
【請求項１】
ほうき（１）の柄の上方部（２）に手首から肘の間に差し込み入れる治具（３）が設けられている構成を特徴とするほうき。
【考案の詳細な説明】
【技術分野】
【０００１】この考案は、片手でほうきを使用する時に、手首に負担を掛け痛くならない様にする事ができるほうきを提供する。
【背景技術】
【０００２】従来は、片手でほうきを使用する時に、ほうきの柄を主として手首を動かして作業していたが、手首に負担を掛け痛くならない様にできるほうきを考案した。
【考案の概要】
【考案が解決しようとしている課題】
【０００３】片手にちりとりを持ち、もう片手にほうきを持ち掃除をするときに、ほうきの柄を主として手首を動かして作業していたが、長時間になると手首が疲労で痛くなる問題点があった。
【課題を解決するための手段】
【０００４】ほうき（１）の柄の上方部（２）に手首から肘の間に差し込み入れる治具（３）を設けて、手首だけを動かすのではなく手首から肘の力を加える事により長時間の作業でも手首が痛くならない様にした。
また、手首から肘の間に差し込み入れる治具（３）は、柄の上方部（２）に固定もしくは治具（３）の上下に固定バンド（４）を設けて自在に回転できる様にしても良い。材質はポリプロピレンが好ましいがプラスチックもしくはステンレスもしくはアルミもしくはスチールもしくは木質でも良い。
【考案の効果】
【０００５】ほうきの柄に手首から肘の間に差し込み入れる治具を設ける事により、長時間作業しても腕の力も加わり、手首の動きも減り負担が軽減でき疲労で痛くなくなる効果が得られる。また、手首の力が弱い女性や高齢者にも効果が期待できる。
【図面の簡単な説明】
【０００６】
【図１】本考案の平面図である。
【図２】本考案の立面図である。
【図３】本考案の使用状態を示す斜視図である。
【符号の説明】
【０００７】１  ほうき
２  柄の上方部
３  手首から肘の間に差し込み入れる治具
４  固定バンド
【図１】
0003222393.tif 000003
【図２】
0003222393.tif 000004
【図３】
0003222393.tif 000005
【手続補正書】
【提出日】平成31年4月26日(2019.4.26)
【手続補正１】
【補正対象書類名】実用新案登録請求の範囲
【補正対象項目名】全文
【補正方法】変更
【補正の内容】
【実用新案登録請求の範囲】
【請求項１】
ほうき（１）の柄の上方部（２）に手首から肘の間に差し込み入れるＵ型の形状をした冶具（３）が設けられて、固定もしくは冶具（３）の上下に固定バンド（４）を設けて自在に回転できる構成を特徴とするほうき。
(57)【要約】      （修正有）【課題】オートバイ利用時やアウトドア活動時での手袋装着時又は通常生活時、その他結び方に不慣れだったり手指が不自由な場合において、自ら結んだりほどく手間なく簡単に首部に着脱出来るバンダナ又はスカーフを提供する。【解決手段】予め三角形状に加工した布等の結び目箇所に面ファスナーを縫着する。ワンタッチで装着及び着脱できることにより、結ぶ手間及び外す際のほどく手間を省くことができる。また、結び目が無く平らなため首の後部の衣服との干渉が無くなると同時に、ファッション性を確保することが出来る。【選択図】図１
0003222392.tif 000002
【実用新案登録請求の範囲】
【請求項１】
・オートバイ利用時やアウトドア活動時に手袋等をしたまま着脱する場合において、結び目箇所にマジックテープ（登録商標）を縫着させて、ワンタッチで脱着できることにより、結ぶ手間及びほどき手間を省くことができる。
・使用中に結び目がほどけることを防止することが出来る。
・障害や加齢等により手指が不自由な場合及び結ぶことが難しい幼児などでも簡単に首部に着脱することが出来る。
以上の特徴を備えたバンダナ又はスカーフ。
【考案の詳細な説明】
【技術分野】
【０００１】
本考案は、装着及び脱着を容易にしながら、ファッション性も確保するバンダナ又はスカーフに関するものである。
【考案の概要】
【考案が解決しようとする課題】
【０００２】
本考案が解決しようとする課題は、手袋装着時や結び方に不慣れであったり手指が不自由な場合でも、首部に巻くバンダナ又はスカーフの着脱を容易にし、同時に結び目を無くしてファッション性を確保できる構造を提供することにある。
【課題を解決するための手段】
【０００３】
前記課題を解決するために、予め三角形状に加工した布等の結び目箇所にマジックテープ（登録商標）を縫着させて、ワンタッチで装着及び着脱できることにより、結ぶ手間及び外す際のほどき手間を省くことが出来ると同時に、結び目を不要とすることが出来る。
【考案の効果】
【０００４】
本考案は以上の構成により、外見からは通常のバンダナ又はスカーフを首部に巻いているように見え、その上装着及び着脱が非常に容易に出来ると同時に、結び目が無いため首部後部をすっきりと見せることが出来てファッション性も確保出来るものである。
【図面の簡単な説明】
【０００５】
【図１】マジックテープ（登録商標）の縫着例の図である。
【図２】このバンダナ又はスカーフの使用例を背面から示した説明図である。
【考案を実施するための形態】
【０００６】
図１及び２は、実施形態のバンダナ又はスカーフを示したものであり、バンダナ結び目の一方の表面及びもう一方の裏面にマジックテープ（登録商標）を縫着したものである。
【図１】
0003222392.tif 000003
【図２】
0003222392.tif 000004
【手続補正書】
【提出日】平成31年3月21日(2019.3.21)
【手続補正１】
【補正対象書類名】実用新案登録請求の範囲
【補正対象項目名】全文
【補正方法】変更
【補正の内容】
【実用新案登録請求の範囲】
【請求項１】
オートバイ利用時やアウトドア活動時に手袋等をしたまま着脱する場合において、
（1）   結び目箇所に面ファスナーを縫着させて、ワンタッチで脱着できることにより、結ぶ手間及びほどき手間を省くことができる。
（2）  使用中に結び目がほどけることを防止することが出来る。
（3）  障害や加齢等により手指が不自由な場合及び結ぶことが難しい幼児などでも簡単に首部に着脱することが出来る。 
以上の（1）〜（3）の構成からなるバンダナ又はフカーフ。
【手続補正書】
【提出日】令和1年6月1日(2019.6.1)
【手続補正１】
【補正対象書類名】実用新案登録請求の範囲
【補正対象項目名】全文
【補正方法】変更
【補正の内容】
【実用新案登録請求の範囲】
【請求項１】
オートバイ利用時やアウトドア活動時に手袋等をしたまま着脱する場合におい
て、
（1）   結び目箇所に面ファスナーを縫着させて、ワンタッチで脱着できることに
より、結ぶ手間及びほどき手間を省くことができること、
（2）  使用中に結び目がほどけることを防止することができること、
（3）  障害や加齢等により手指が不自由な場合及び結ぶことが難しい幼児などで
も簡単に首部に着脱することが出来ること、 
以上の（1）〜（3）の構成からなるバンダナ又はフカーフ。
(57)【要約】      （修正有）【課題】構造が簡単で安全に使用でき、大電流特性と、高透磁率と、温度変化に対する高い耐性とを有する安定型トランスのコアを提供する。【解決手段】安定型トランスのコアは、ベース２と、Ｕ字型コア３と、Ｉ字型コア４とを含むコア本体を備え、Ｕ字型コアとＩ字型コアはそれぞれベースの両端部に設置され、Ｉ字型コアの端面に溝５が形成され、Ｕ字型コアにコイルが巻回され、Ｕ字型コアに貫通孔８が設けられ、貫通孔はコイルに対向して配置され、Ｕ字型コアとＩ字型コアの間に銅片６が設置され、ベースにスロット９が形成され、銅片はスロット内に取り外し可能に設置される。フェライト製のコアは良好なフィルタリング効果を有し、二種類のコアを組み合わせることで、トランスの磁力線とインダクタの磁力線が互に独立し、作業の安定性を改善する。さらに貫通孔を設置することでコアの安全性を向上させる。【選択図】図１
0003222382.tif 000002
【実用新案登録請求の範囲】
【請求項１】
ベースと、Ｕ字型コアと、Ｉ字型コアとを含むコア本体を備え、且つ前記Ｕ字型コアとＩ字型コアはそれぞれベースの両端部に設置され、前記Ｉ字型コアの端面に溝が形成され、前記Ｕ字型コアにコイルが巻回され、前記Ｕ字型コアに貫通孔が設けられ、前記貫通孔はコイルに対向して配置され、前記Ｕ字型コアとＩ字型コアの間に銅片が設置され、前記ベースにスロットが形成されており、前記銅片がスロット内に設置されることを特徴とする安定型トランスのコア。
【請求項２】
前記Ｉ字型コアはフェライト材料で作られることを特徴とする請求項１記載の安定型トランスのコア。
【請求項３】
前記ベースの幅は前記Ｕ字型コアの直径より大きいことを特徴とする請求項１記載の安定型トランスのコア。
【請求項４】
前記ベースの幅は前記Ｉ字型コアの直径より大きいことを特徴とする請求項１記載の安定型トランスのコア。
【考案の詳細な説明】
【技術分野】
【０００１】
本考案は、コアに関し、特に安定型トランスのコアに関する。
【背景技術】
【０００２】
中国経済の継続的な発展に伴い、土地資源がますます不足しており、変電所の床面積は限られていることが多く、オーバーヘッドバスバーの出入り方向も限られている。変電所のオーバーヘッドバスバーの方向に合わせるためには、トランスブッシュの配列方向をそれと一致する方向に変更することが常に必要である。トランスブッシュの配列方向は横方向に配置されるのが一般的であるが、トランスブッシュを縦方向に配置する必要がある場合には、トランスの内部にリードを配置してトランスブッシュを縦方向に配置する必要がある。しかし、トランス内部のリード線の配置が複雑であるだけでなく、その接続が困難であり、そのうえトランスブッシュを縦方向に配置するにはトランスタンクのサイズを大きくする必要がある。それに伴ってトランスの容積、油量、トランスの材質、加工コストおよび輸送コストが増えるため、トランスのコストが高くなる。
【０００３】
従って、上記課題を解決するために、本考案は新しい技術的な解決策を提案する。
【考案の概要】
【考案が解決しようとする課題】
【０００４】
本考案は一種の安定型トランスのコアを提供する。
【課題を解決するための手段】
【０００５】
本考案が採用する技術的な解決策は：
ベースと、Ｕ字型コアと、Ｉ字型コアとを含むコア本体を備え、且つ前記Ｕ字型コアとＩ字型コアはそれぞれベースの両端部に設置され、前記Ｉ字型コアの端面に溝が形成され、Ｕ字型コアにコイルが巻回され、前記Ｕ字型コアに貫通孔が設けられ、前記貫通孔はコイルに対向して配置され、前記Ｕ字型コアとＩ字型コアの間に銅片が設置され、前記ベースにスロットが形成されており、前記銅片がスロット内に設置される安定型トランスのコアとする。
【０００６】
また、前記Ｉ字型コアはフェライト材料で作られる。
【０００７】
また、前記ベースの幅はＵ字型コアの直径より大きい。
【０００８】
また、前記ベースの幅はＩ字型コアの直径より大きい。
【考案の効果】
【０００９】
本考案の有益な効果は、構造が簡単で安全に使用でき、大電流特性と、高透磁率と、温度変化に対する高い耐性とを有し、フェライト製なのでコアは良好なフィルタリング効果を有する。さらに、二種類のコアを組み合わせることにより、トランスの磁力線とインダクタの磁力線が後続の作業に互に独立しており、相互に影響を及ぼすことなく、従って作業の安定性を改善することができる。さらに、貫通孔を設置することでコアの安全性を向上させることができる。銅片は取り外し可能に取り付けられることにより、さまざまなニーズを満たせることができ、且つ多様な機能を備える。
【図面の簡単な説明】
【００１０】
【図１】本考案の構造の概略図である。
【考案を実施するための形態】
【００１１】
図１に示すのは、ベース２と、Ｕ字型コア３と、Ｉ字型コア４とを含むコア本体１を備え、且つＵ字型コア３とＩ字型コア４はそれぞれベース２の両端部に設置され、Ｉ字型コア４の端面に溝５が形成され、Ｕ字型コア３にコイル７が巻回され、Ｕ字型コア３に貫通孔８が設けられ、貫通孔８はコイル７に対向して配置され、Ｕ字型コア３とＩ字型コア４の間に銅片６が設置され、ベース２にスロット９が形成されており、銅片６がスロット９内に設置され、Ｉ字型コア４はフェライト材料で作られ、ベース２の幅はＵ字型コア３の直径より大きく、且つベース２の幅はＩ字型コア４の直径より大きい安定型トランスのコアである。
【００１２】
本考案の有益な効果は、構造が簡単で安全に使用でき、大電流特性と、高透磁率と、温度変化に対する高い耐性とを有し、フェライト製なのでコアは良好なフィルタリング効果を有する。さらに、二種類のコアを組み合わせることにより、トランスの磁力線とインダクタの磁力線が後続の作業に互に独立しており、相互に影響を及ぼすことなく、従って作業の安定性を改善することができる。さらに、貫通孔を設置することでコアの安全性を向上させ、そして銅片は取り外し可能に取り付けられることにより、さまざまなニーズを満たせることができ、且つ多様な機能を備える。
【００１３】
以上は単に本考案の好ましい実施形態のみであり、本考案を任意の他の形式で限定するものではなく、本考案の技術的な本質に基づいて任意の変更および等効変換は、依然として本考案の特許保護範囲に含まれる。
【符号の説明】
【００１４】
１  コア本体
２  ベース
３  Ｕ字型コア
４  Ｉ字型コア
５  溝
６  銅片
７  コイル
８  貫通孔
９  スロット
【図１】
0003222382.tif 000003